(57)【要約】【課題】利用者及び介護者双方にとって利便性が高く、容易かつプライバシーを保護した状態でも利用できる局部簡易浴槽を提供する。【解決手段】利用者４の臀部41を落とし込む凹部111を有する浴槽マット１と、凹部111の内面に添わせた際に前記凹部111の開口上縁から余剰がはみ出る大きさの浴槽シート２とからなり、浴槽マット１は、凹部111を有する凹部形成部11を挟んで大腿支持部12と上半身支持部13とを連ねた構造で、凹部形成部11、大腿支持部12及び上半身支持部13の各内部に加圧媒体を注入する媒体供給口14を設け、浴槽シート２は、裏面から表面に貫通する排水口21を設けてなる局部簡易浴槽である。【選択図】図４
2008212295.tif 000002
【特許請求の範囲】
【請求項１】
利用者の臀部を落とし込む凹部を有する浴槽マットと、凹部の内面に添わせた際に前記凹部の開口上縁から余剰がはみ出る浴槽シートとからなり、浴槽マットは、凹部を有する凹部形成部を挟んで大腿支持部と上半身支持部とを連ねた構造で、凹部形成部、大腿支持部及び上半身支持部の各内部に加圧媒体を注入する媒体供給口を設け、浴槽シートは、裏面から表面に貫通する排水口を設けてなる局部簡易浴槽。
【請求項２】
浴槽マットは、凹部形成部を挟む大腿支持部及び上半身支持部の一方又は双方の内部を、表面及び裏面を結ぶ隔壁により区画してなる請求項１記載の局部簡易浴槽。
【請求項３】
浴槽マットは、落とし込む臀部の左右に手を差し込む隙間を有する凹部を凹部形成部に有する請求項1又は２いずれか記載の局部簡易浴槽。
【請求項４】
浴槽シートは、凹部の内面に添わせた際に前記凹部の開口上縁から左右に余剰がはみ出し、前記余剰を折り返して利用者の陰部及び臀部を包み込める大きさである請求項１〜３いずれか記載の局部簡易浴槽。
【請求項５】
浴槽シートは、左右の余剰に対となる係合部を設け、折り返した余剰相互を前記係合部により係脱自在にした請求項４記載の局部簡易浴槽。
【発明の詳細な説明】
【技術分野】
【０００１】
本発明は、要介護者や傷害者又は疾病者等、ベッドに寝たきりとなった利用者が陰部及び臀部を洗うために適した局部簡易浴槽に関する。
【背景技術】
【０００２】
要介護者や傷害者又は疾病者等、ベッドに寝たきりとなった利用者は、排泄の度にトイレに行くことが困難であるため、一時的又は永続的にオムツを利用することがある。オムツを利用することにより、排泄の用は足りるものの、オムツを利用した状態での排泄は、少なからず陰部及び臀部を清浄に保つことを難しくする。加えて、ベッドに寝たきりとなった利用者は、自ら姿勢を変えることも難しいことが少なくないため、陰部及び臀部の汚染が進行してしまい、別の病気を誘発することにもなりかねない。このため、こうしたオムツを利用するベッドに寝たきりとなった利用者の陰部及び臀部を洗うために適した局部簡易浴槽又は局部洗浄装置が種々提案されている。
【０００３】
特許文献１は、臀部及び腰まわりを収納する凹部を有する局部簡易浴槽（槽本体）を備えた局部洗浄装置（洗浄装置）を提案している。局部簡易浴槽は、凹部の最底部に排水口を設けていることから、臀部及び腰回りのみ湯船に浸かることのできる浴槽だと見ることができる。取り扱いの便を考慮し、局部簡易浴槽を搭載する台座にキャスタを設ける構成を開示している。特許文献1では、寝たきりとなった利用者のみを対象としているわけではなく、むしろ利用者が自ら凹部に臀部を入れる利用態様を説明しているが、台座にキャスタを設けていることにより、寝たきりとなった利用者の近く（例えばベッド横）まで局部簡易浴槽を移動させ、後は介護者が抱えて寝たきりとなった利用者の臀部を凹部に入れることも考えられる。
【０００４】
特許文献２は、局部簡易浴槽（洗浄容器）、洗浄器本体、洗浄水収納容器との組み合わせからなる局部洗浄装置を提案している。局部簡易浴槽は横長ソファー状に形成され、前記局部簡易浴槽内に横たわった利用者に対し、洗浄器本体が洗浄水収納容器から汲み上げた洗浄水をシャワーノズル等で放水して、利用者の陰部及び臀部を洗浄できるようにしている。局部簡易浴槽は、空気を封入して形状を保持することから、一種の簡易プール（いわゆる「ビニールプール」）と見ることができる。これにより、局部簡易浴槽の持ち運びが容易になっている。利用に際しては、上記特許文献1同様、寝たきりとなった利用者の近く（例えばベッド横）で局部簡易浴槽に空気を封入して利用状態を形成し、後は介護者が抱えて寝たきりとなった利用者を前記局部簡易浴槽に横たわらせる。
【０００５】
【特許文献１】特開平10-113300号公報
【特許文献２】特開平11-290417号公報
【発明の開示】
【発明が解決しようとする課題】
【０００６】
ベッドに寝たきりとなった利用者が陰部及び臀部を洗うために利用する局部洗浄装置は、利用者が入る局部簡易浴槽が利用者又は介護者にとっての利便性を左右する。この点、特許文献１又は特許文献２の局部簡易浴槽は、利用者が寝たきりである場合、介護者が抱えて利用者を入れる必要があり、これが介護者に多大な負担を課していた。また、特許文献1の局部簡易浴槽は、キャスタを備えるとはいえ、やはり移動や取り扱いに制限がある。これに対し、特許文献２の局部簡易浴槽は、空気を排出することにより局部簡易浴槽を潰すことができ、持ち運びや取り扱いが便利であるという利点があるが、ベッドの高さに対して床に置く局部簡易浴槽まで、利用者を降ろし、利用後は再び利用者をベッドまで持ち上げなければならない問題がある。
【０００７】
ここで、特許文献２の局部簡易浴槽は、ベッド上に横たわる利用者を少し横向き（横臥位）にして利用者とベッドとの間に差し込み、利用者を仰向け（仰臥位）に戻した後に空気を注入し、初めから利用者が入った状態にする利用態様が考えられる。しかし、仮にこうした利用態様が可能であるとしても、利用中の局部簡易浴槽から洗浄水や汚水が飛び散り、ベッドまで濡れてしまいかねないほか、ベッドに汚水が飛び散ることでベッドを汚染してしまい、衛生上非常に問題となる。そもそも利用者の陰部及び臀部だけが洗浄できればよいため、ベッド上に特許文献２のような大きな容積を有する局部簡易浴槽を置いて利用することは実用的でない。
【０００８】
このように、従来の局部簡易浴槽は、利用者又は介護者にとって利便性の高いものではなく、使いづらい面があった。このため、どうしても利用頻度が控えめとなりがちで、寝たきりとなった利用者の陰部及び臀部を清浄に保つ目的を十分に達することができなかった。このほか、従来の局部簡易浴槽は、利用中、利用者の陰部及び臀部が外部から視認できる状態になっており、利用者から見てプライバシーの保護が十分でない問題もあった。そこで、利用者及び介護者双方にとって利便性が高く、容易かつプライバシーを保護した状態で利用できる局部簡易浴槽を開発するため、検討した。
【課題を解決するための手段】
【０００９】
検討の結果開発したものが、利用者の臀部を落とし込む凹部を有する浴槽マットと、凹部の内面に添わせた際に前記凹部の開口上縁から余剰がはみ出る大きさの浴槽シートとからなり、浴槽マットは、凹部を有する凹部形成部を挟んで大腿支持部と上半身支持部とを連ねた構造で、凹部形成部、大腿支持部及び上半身支持部の各内部に加圧媒体を注入する媒体供給口を設け、浴槽シートは、裏面から表面に貫通する排水口を設けてなる局部簡易浴槽である。浴槽マット及び浴槽シートを構成する素材は限定されないが、いずれも水回り製品となることから、耐水性又は防水性を備えた素材により構成されることが好ましい。例えば抑制マットは樹脂製中空体、浴槽シートは可撓性のある樹脂製シートとする。
【００１０】
本発明の局部簡易浴槽は、従来同種の局部簡易浴槽に相当する浴槽マットの凹部に浴槽シートを添わせ、浴槽シートの凹ませた部分を浴槽として利用する。すなわち、あくまで浴槽シートが浴槽を構成し、浴槽マットの凹部は前記浴槽シートを変形させて浴槽の形状を決定する働きに留まっている。この結果、浴槽シートが凹部を含めた広い範囲で浴槽マットを覆うとすれば、およそ浴槽マットの濡れる虞がなくなり、利用時に浴槽シートの表面あ（実際の浴槽を構成する内側の面）のみが濡れることになる。これから、同じ水回り製品であるものの、浴槽シートは高い耐水性又は防水性が要求されるが、浴槽マットは必ずしも耐水性又は防水性を備える必要がなく、むしろ利用者に触れる範囲（例えば浴槽シートに覆われない上半身支持部の表面）を触感のよい素材で構成することもできる。
【００１１】
浴槽マットは、凹部が形成されていれば全体形状は自由であるが、利用者の上半身及び大腿部を支持する働きから、ベッドのような平面視長方形状が好ましく、厚みは注入される加圧媒体による弾力性が触感できる程度、例えば100mm〜200mmあればよい。この浴槽マットは、大腿支持部により利用者の大腿部を、上半身支持部により利用者の上半身を支持した状態で、利用者の臀部を凹部（正確には凹部の内面に添わせた浴槽シートが形成する実際の浴槽）に落とし込ませる。ここで、凹部は、臀部を完全に嵌め込む程度まで落とし込ませるのではなく、大腿部及び上半身に対して臀部が相対的に低くなる程度に落とし込ませる大きさの開口を有すればよい。具体的な凹部は、大腿部及び腰を結ぶ方向の縦幅が200mm〜300mm、深さが100mm〜200mmの窪みとして構成する。
【００１２】
樹脂製中空体とした浴槽マットは、凹部形成部、大腿支持部及び上半身支持部の各内部に加圧媒体を注入して膨らませ、利用状態を形成する。加圧媒体は、通常空気を用いるが、その他気体や水又は湯等の液体を用いてもよい。利用前又は利用後の浴槽マットは、加圧媒体を媒体供給口から排出すれば、潰して平らにすることができる。これにより、本発明の局部簡易浴槽は、次のように利用する。まず、ベッド上に横たわる利用者を少し横向き（横臥位）にし、利用者とベッドとの間に、下から潰して平らにした浴槽マット、浴槽シートの順に重ねて差し込む。このとき、浴槽マットの凹部が利用者の臀部に対応する位置にあり、また浴槽シートは前記凹部を覆い、かつ排水口が凹部の中心付近に位置するように拡げておく。次に利用者を仰向け（仰臥位）に戻した後、浴槽マットに空気を注入して膨らませ、前記浴槽マットの凹部を覆う浴槽シートに利用者の臀部を落とし込ませると、利用状態となる。利用状態では、変形した浴槽シートが凹部内に凹ませた部分を浴槽として、利用者の臀部が落とし込まれており、従来公知各手段により、利用者の陰部及び臀部に洗浄水を浴びせる。洗浄水は、浴槽シートの排水口を通じて排水される。
【００１３】
浴槽マットをベッドのような平面視長方形状とした場合、大腿支持部及び上半身支持部の表面は連続した広い可撓面となり、全体が連続して変形しやすくなる。このため、大腿支持部及び上半身支持部の内部に加圧媒体を注入しても、大腿支持部及び上半身支持部の表面が変形して、利用者の上半身や大腿部の支持を不安定にする。そこで、浴槽マットは、凹部形成部を挟む大腿支持部及び上半身支持部の一方又は双方の内部を、表面及び裏面を結ぶ隔壁により区画するとよい。これにより、浴槽マットの表面が変形する範囲を前記区画単位に分断することができ、浴槽マット全体における表面の変形を抑制して、利用者の上半身や大腿部の安定した支持が実現される。
【００１４】
凹部は、利用者の臀部を落とし込ませる大きさがあれば十分である。しかし、介護者が前記臀部を洗う場合を考慮すれば、浴槽マットは、落とし込む臀部の左右に手を差し込む隙間を有する大きさの凹部を凹部形成部に有することが好ましい。すなわち、凹部は横長の窪みとなる。この場合、浴槽シートは、利用者の臀部に対して凹部の左右に形成される隙間も含め、凹部全体を覆う大きさとする。このような横長の凹部は、介護者が手を差し込んで利用者の臀部を洗いやすくするほか、前記臀部に対して余裕のある空間を提供することになり、利用者に対する圧迫感を軽減する。上述した開口の縦幅が200mm〜300mm、深さが100mm〜200mmの窪みとした凹部の例で言えば、隙間を形成する場合、開口の横幅は600mm〜800mmを目安とする。
【００１５】
浴槽シートは、凹部より大きければ構わない。これから、浴槽シートは、凹部の内面に添わせた際に前記凹部の開口上縁から左右に余剰がはみ出し、前記余剰を折り返して利用者の陰部及び臀部を包み込める大きさとし、更には左右の余剰に対となる係合部を設け、折り返した余剰相互を前記係合部により係脱自在にするとよい。これにより、必要に応じて浴槽シートを折り返し、利用者の陰部及び臀部を洗浄する以外の準備段階又は片付け段階で前記陰部及び臀部を包み隠すことにより、利用者のプライバシーをできる限り保護できる。ここで、利用者が動くと、折り返した浴槽シートが動く虞があるので、折り返した余剰相互を係合部により係合し、折り返して前記余剰相互を重ね合わせた状態が解除されないようにする。具体的な係合部として、面ファスナーが好ましい。
【発明の効果】
【００１６】
本発明は、利用者及び介護者双方にとって利便性が高く、容易かつプライバシーを保護した状態で利用できる局部簡易浴槽を提供する。まず、高い利便性は、本発明の局部簡易浴槽が、浴槽マットと浴槽シートとの組み合わせからなり、浴槽シートが浴槽マットの凹部に凹ませた部分を浴槽として形成し、前記浴槽シートが浴槽マットを覆う状態で利用される構成にしたことによる効果である。浴槽シートによる浴槽の形成は、浴槽マットの凹部の内面に添わせるだけなので、容易である。そして、前記浴槽を形成した利用状態において、浴槽シートの余剰を折り返して利用者の陰部及び臀部を隠すことができ、プライバシーの保護も図ることができる。このように、本発明は利用者及び介護者双方の利便性を改善し、容易に利用できるだけでなく、プライバシー保護も図ることのできる局部簡易浴槽を提供する。
【発明を実施するための最良の形態】
【００１７】
以下、本発明の実施形態について図を参照しながら説明する。図1は本発明の浴槽マット１及び浴槽シート２からなる局部簡易浴槽と給排水装置３とを組み合せた局部洗浄装置の一例を示す斜視図、図２は局部簡易浴槽を構成する浴槽マット１の斜視図、図３は局部簡易浴槽を構成する浴槽シート２の斜視図、図４は局部簡易浴槽の使用状態を表す斜視図、図５は使用状態における凹部111付近の部分断面図、図６は使用状態における凹部111付近の部分平面図であり、図７は浴槽シート２を折り返してプライバシーの保護を図っている状態を表す図４相当斜視図である。
【００１８】
本例は、図１に見られるように、浴槽マット１及び浴槽シート２から局部簡易浴槽を構成し、前記局部簡易浴槽の使用に必要な機械類をまとめた給排水装置３を組み合せた局部洗浄装置の例である。詳細は図示を略するが、本例の給排水装置３は、洗浄水生成部、洗浄水供給部、空気給排部、汚水排水部、そして操作制御部から構成される。前記各部は個別の装置で構成してもよいし、このほか従来公知の各種装置を用いたり、また併用したりできる。本例は、使用上の便宜を考慮し、前記各部をまとめて一体の装置とし、操作制御部から各部を操作及び制御させると共に、キャスタを設けて全体を一体に移動自在としている。
【００１９】
高温水生成部は、取り込んだ水道水を一度高温（90℃程度）の高温水に昇温した後、前記高温水と別途取り込んだ水道水とを混合して生成した適温（36℃程度）の洗浄水を洗浄水生成部に供給する。高温水は、例えば加熱ヒータにより水道水を加熱して生成され、サーモスタットにより温度が維持される。この高温水生成部は、水道水から直接適温の洗浄水を生成するのではなく、まず高温水を生成し、前記高温水を水道水により降温して適温の洗浄水を間接的に生成することにより、補充される水道水による洗浄水の温度変化を抑制する。洗浄水は、洗浄水供給部の洗浄水タンクに備えたフロートスイッチが洗浄水の貯留量の低下を検知したとき、高温水を貯留する高温水タンクの供給口に設けた供給バルブを開いて高温水を送り出し、洗浄水供給部への供給経路途中に設けられた混合バルブで水道水と混合され、生成される。
【００２０】
洗浄水生成部は、前記高温水生成部から供給された適温（36℃程度）の洗浄水を洗浄水タンクに貯留し、前記洗浄水タンク内の洗浄水に水没させた供給ポンプから、例えばシャワーノズル31を通じて外部に洗浄水を供給する。洗浄水タンクは、貯留した洗浄水の水温を均一かつ一定に保つため、循環ポンプ及び加熱ヒータを内蔵している。循環ポンプは、洗浄水タンクに貯留した洗浄水が対流により温度の偏りを生じさせないように、適宜又は常時洗浄水を撹拌する。加熱ヒータは、経時的な温度低下を補う程度に洗浄水を昇温する。また、洗浄水タンクは、既述したように、適宜高温水生成部から洗浄水の補充を受けるため、洗浄水の貯留量を監視するフロートスイッチを内蔵している。
【００２１】
空気給排部は、浴槽マット１の媒体供給口14に給排パイプ（図示略）を接続し、加圧媒体として空気を前記浴槽マット１の凹部形成部11、大腿支持部12及び上半身支持部13の内部へ送り込む送風機から構成される。給排パイプが接続される送風機のコネクタは、逆流防止弁を介在させることにより、給排パイプを通じて浴槽マット１に供給された空気を逆流させず、前記浴槽マット１が膨らんだ状態を維持させる。浴槽マット１は、媒体供給口14に接続した給排パイプを取り外すことにより、自然に空気を放出し、平らに潰した状態にすることができる。
【００２２】
汚水排水部は、浴槽シート２の排水口21に排水パイプ32を接続する汚水タンクと、汚水タンクに別途接続する吸引ポンプとから構成される。実際の浴槽となる浴槽シート２の窪みに溜まる洗浄水及び汚水は、汚水タンク内が吸引ポンプにより負圧となることにより前記汚水タンクに吸引され、貯留される。洗浄水及び汚水は、貯留された汚水タンクのまま下水管又はトイレ等まで運んで廃棄されてもよいし、汚水タンクに接続した排水パイプを下水管又はトイレ等にまで延ばし、前記排水パイプに吸引ポンプの負圧を働かせて、汚水タンクから直接下水管又はトイレ等に送り出し、廃棄されるようにしてもよい。
【００２３】
本例の浴槽マット１は、図１及び図２に見られるように、凹部形成部11を挟んで一方に大腿支持部12、他方に上半身支持部を有する直方体形状の樹脂製中空体（例えば塩化ビニール製マット）であり、空気を注入すると、各方向に数10mm膨張する。凹部111は、浴槽マット１の長さ方向の偏った位置に設けられた平面視長方形状の窪みである。本例の凹部111は、利用者が臀部を落とし込んだとき、左右に手を差し込む隙間112,112（図４及び図６参照）が形成される大きさである。また、本例は、凹部111の底を凹部形成部11の底面と面一にしているため、浴槽マット１を膨らませると、凹部111の開口上縁が膨らんだ凹部形成部11の表面からなだらかに落ち込む弯曲面を形成する。これにより、凹部に落とし込んだ臀部に続く大腿部及び上半身が、それぞれ大腿支持部12及び上半身支持部13に無理なく支持されるようになる。
【００２４】
本例は、空気を注入した浴槽マット１における大腿支持部12及び上半身支持部13の表面が変形して、利用者の上半身や大腿部の支持を不安定にすることを避けるため、前記大腿支持部12及び上半身支持部13の双方の内部に隔壁15（内部マチに相当）を設けている。本例は、凹部111及び周面（外部マチに相当）に対して間隙を有する隔壁15を、長手方向に延びて５条設けて、相互に連通した区画単位を形成している。このため、単一の媒体供給口から注入された空気は、各区画単位に行き渡り、浴槽マット１全体を膨らませるが、表面の変形は各区画単位の範囲に抑制され、利用者の上半身や大腿部の安定した支持が実現される。
【００２５】
浴槽シート２は、図１及び図３に見られるように、浴槽マット１より広い長方形状の樹脂製シートであり、中央に裏面から表面に貫通する排水口21を設けている。この浴槽シート２は、表面に耐水性又は防水性を備えた樹脂製シート（例えば高伸縮性エラストマー樹脂塗布）と、裏面に面ファスナーの雌面23（対となる係合部の一方、図７参照）となる樹脂製シート（例えば独立発泡構造クロロプレーンゴムシート）とを重ね合わせた構造である。表面の左右には、面ファスナーの雄テープ22,22（対となる係合部の他方）が取り付けられている。これにより、浴槽マット１からはみ出す余剰となる前記左右縁を折り返した際、例えば上方に表れる左縁側の裏面の雌面23に、右縁の表面に取り付けた雄テープ22を係合させて、両縁を重ね合わせた状態が保持される。
【００２６】
本例の局部簡易浴槽は、図４に見られるように、空気により膨らませた浴槽マット１の凹部111（図１参照。以下同じ）を中心に浴槽シート２を拡げ、前記凹部111に添わせて凹ませた浴槽シート２の凹みを実際の浴槽として、利用者４が臀部41を落とし込ませて利用する。浴槽マット１をベッド上で膨らませる場合、次の手順による。まず、ベッド上に横たわる利用者４を少し横向き（横臥位）にし、利用者４とベッドとの間に、下から潰して平らにした浴槽マット１、浴槽シート２の順に重ねて差し込む。このとき、浴槽マット１の凹部111が利用者４の臀部41に対応する位置にあり、また浴槽シート２は前記凹部111を覆い、かつ排水口21が凹部111の中心付近に位置するように拡げておく。次に、利用者４を仰向け（仰臥位）に戻した後、浴槽マット１に空気を注入して膨らませ、前記浴槽マット１の凹部111を覆う浴槽シート２に利用者４の臀部41を落とし込ませる。必要により、利用者４は臀部41が凹部111から外れない範囲で、横向き（横臥位）として陰部及び臀部41を洗浄してもよい。
【００２７】
利用者４の臀部41は、図５に見られるように、完全に凹部111に落とし込まれるのではなく、上半身及び大腿部に比較して相対的に低くなる程度で凹部111に嵌まっている。このように、凹部111に添って実際の浴槽を形成する浴槽シート２の凹みは、臀部41下方に空間を残すため、前記凹みに洗浄水を溜めることができ、臀部41の洗浄を容易にする。洗浄水が汚れた汚水となった場合、浴槽シート２の排水口21から適宜吸引し、排水する。このとき、浴槽シート２は浴槽マット１の凹部111のみならず、前記凹部111を有する凹部形成部11，大腿支持部12及び上半身支持部13を覆う広い範囲に拡げられており、実際の浴槽を形成する浴槽シート２の凹みに溜められる洗浄水が浴槽マット1を濡らす虞はない。
【００２８】
また、本例の凹部111は利用者４の臀部41の幅に比べて左右に長い横長の穴であるため、図６に見られるように、凹部111に添って実際の浴槽を形成する浴槽シート２の凹みの左右に、臀部41に塞がれない隙間112,112が形成される。これにより、利用者４の臀部41を洗浄する介護者の手が容易に前記臀部41の下にまで差し込めるようになる。このほか、隙間112の形成は、必然的に凹部111の容積を増加させ、溜めることのできる洗浄水の量を増やすことができるほか、例えば利用者４が前記隙間112の開口上縁に手を添える部位を構成し、利用者４が姿勢を保持しやすくなる（図５及び図６参照）。
【００２９】
ここで、浴槽マット１を膨らませ、給排水装置３で適温の洗浄水を生成する準備段階や、洗浄を終えて汚水を排水し、浴槽マット１から空気を排気して潰す片付け段階では、利用者４が陰部及び臀部41を露出しておく必要はない。そこで、本発明では、図７に見られるように、浴槽マット１が平らに潰れた状態から、拡げた浴槽シート２の左右縁を折り返して利用者の陰部及び臀部41を包み込み、前記陰部及び臀部41の露出を防ぎ、利用者４のプライバシーを保護できるようにしている。折り返した浴槽シート２の左右縁は、裏面の雌面23に表面の雄テープ22を係合させるだけで折り返し状態を保持できるため、利用者４が多少動いてもはだけず、プライバシーの保護が図られる。
【図面の簡単な説明】
【００３０】
【図１】本発明の浴槽マット及び浴槽シートからなる局部簡易浴槽と給排水装置とを組み合せた局部洗浄装置の一例を示す斜視図である。
【図２】局部簡易浴槽を構成する浴槽マットの斜視図である。
【図３】局部簡易浴槽を構成する浴槽シートの斜視図である。
【図４】局部簡易浴槽の使用状態を表す斜視図である。
【図５】使用状態における凹部付近の部分断面図である。
【図６】使用状態における凹部付近の部分平面図である。
【図７】浴槽シートを折り返してプライバシーの保護を図っている状態を表す図４相当斜視図である。
【符号の説明】
【００３１】
１  浴槽マット
11  凹部形成部
111  凹部
112  左右の隙間
12  大腿支持部
13  上半身支持部
14  媒体供給口
15  隔壁
２  浴槽シート
21  排水口
22  面ファスナーの雄テープ
23  面ファスナーの雌面
４  利用者
41  臀部
【図１】
2008212295.tif 000003
【図２】
2008212295.tif 000004
【図３】
2008212295.tif 000005
【図４】
2008212295.tif 000006
【図５】
2008212295.tif 000007
【図６】
2008212295.tif 000008
【図７】
2008212295.tif 000009